(57)【要約】【課題】  水槽の重量に耐え得る壁掛け水槽を提供する。【解決手段】  略直方体の箱３の前面には前面パネル５が、背面には凹状部材１１が取り付けられ、箱３に水槽９を収納する。凹状部材の長さは箱３の背面の幅に略等しく、断面はコの字の両端をカギ型に曲げた形状である。壁面に固定する凸状部材１３は、倒立トの字型の断面を持ち、長さは箱３の背面の幅に略等しい。凸状部材１３の凸部を凹状部材１１の凹部に差し込むことにより、壁掛け水槽１を壁面に掛け固定する。【選択図】  図１
0003109838.tif 000002
【実用新案登録請求の範囲】
【請求項１】
水槽と、
前記水槽を収納する箱と、
前記箱の背面内部に取り付けた凹状部材と、
壁に取り付けられる凸状部材とを有し、
前記凹状部材と前記凸状部材を噛み合せることにより、前記箱を壁面に掛けることを特徴とする壁掛け水槽。
【請求項２】
前記凹状部材は、コの字型の断面形状を有し、長さが前記箱の背面幅に略等しく、
前記凸状部材は、倒立トの字型の断面形状を有し、長さが前記凹状部材の長さに略等しいことを特徴とする請求項１記載の壁掛け水槽。
【請求項３】
壁面に取り付けられる前記凸状部材の凸部を、前記凹状部材の凹部に差し込むことにより、前記箱を壁面に固定することを特徴とする請求項２記載の壁掛け水槽。
【考案の詳細な説明】
【技術分野】
【０００１】
本考案は、壁面に掛けることが可能な壁掛け水槽に関するものである。
【背景技術】
【０００２】
金魚や熱帯魚等の飼育・鑑賞に使用される水槽は、従来、台上に設置する据え置き型のものが殆どであったが、装飾性を増すとともに、省スペース化を図る目的で壁掛け式の水槽が提案されている(特許文献１参照)。
【０００３】
【特許文献１】特開平９−２３７８１号公報
【特許文献２】実開平７−３０６６３号公報
【考案の開示】
【考案が解決しようとする課題】
【０００４】
しかしながら、提案された壁掛け水槽は、1点あるいは2点で壁に懸吊する手法を採っており、水槽の重量により水槽の支持部材が撓み、撓みが大きくなれば崩壊する可能性があるという問題があった。水槽が大きくなれば、この問題はさらに重大である。
【０００５】
本考案は、このような問題点に鑑みてなされたもので、その目的とするところは、水槽の重量に耐え得る壁掛け水槽を提供することにある。
【課題を解決するための手段】
【０００６】
前述した目的を達成するために本考案は、水槽と、前記水槽を収納する箱と、箱の背面内部に取り付けた凹状部材と、壁に取り付けられる凸状部材とを有し、凹状部材と凸状部材を噛み合せることにより、箱を壁面に掛けることを特徴とする壁掛け水槽である。
凹状部材は、コの字型の断面形状を有し、長さが前記箱の背面幅に略等しい。また、凸状部材は、倒立トの字型の断面形状を有し、長さが前記凹状部材の長さに略等しい。
壁面に取り付けられる凸状部材の凸部を、凹状部材の凹部に差し込むことにより、箱が壁面に固定される。
【０００７】
このように、箱を壁面に掛けるための凹状および凸状の部材の長さを、箱の背面の幅に略等しくし、凹部、凸部を噛み合わせることにより、箱を線および面で支持することが可能になり、水槽の重量による箱の撓みを防止することが可能になる。
【考案の効果】
【０００８】
本考案により、水槽の重量に耐え得る壁掛け水槽を提供することが可能になる。
【考案を実施するための最良の形態】
【０００９】
以下、図面に基づいて本考案の実施の形態を詳細に説明する。図１は、本考案の壁掛け水槽の概観を示す斜視図、図２は、本考案の壁掛け水槽を横から見た平面図、図３は、凹状部材の斜視図、図４は、凸状部材の斜視図、図５は、壁掛け水槽のその他の部品構成を示す図である。
【００１０】
図１、図２に示すように、本実施の形態の壁掛け水槽１は、箱３、前面パネル５、蓋７、凹状部材１１、凸状部材１３、および、水槽９より構成される。
箱３は略直方体形状であり、例えば、ステンレス・スチールや樹脂、木材等を素材とする。箱の前面部分３１は略長方形状にくり抜かれ、これも略長方形状にくり抜かれた前面パネル５が額縁状に固定されている。
箱３の上部は開いており、蓋７が兆番等により箱３に接続され、開閉可能である。この蓋７を開ければ、水槽９を出し入れすることが可能である。
【００１１】
箱３の両側面３３は、凹状部材１１を取り付けるための略長方形の切込みを有し、この部分に凹状部材１１がはめ込まれる。また、箱３の背面３５は、凹状部材１１の開口部１１３に当る部分に略長方形にくり抜かれた形状である。
以上のような形状の箱３は、例えば、樹脂による一体成型や、スチール、木材等の接合により作成可能である。
【００１２】
図３は、図１の壁掛け水槽１を右後ろから見た凹状部材１１の斜視図である。
凹状部材１１は、逆コの字型の両端をカギ状に折り曲げた断面形状を持ち、その長さは、壁掛け水槽１の背面３５の幅に略等しい。例えば、スチール等の金属を成型したものである。
この凹状部材１１が、開口部１１３を箱３の背面３５側に向けて、箱３の両側面３３の切り込みにはめ込まれ、両側面３３および背面３５に、例えば、溶接あるいはボルト等で固定される。
【００１３】
一方、凸状部材１３は、図４に示すように、基部１３１と鍵部１３３から成り、鍵部１３３が基部１３１に対して倒立トの字型に接続された形状である。凸状部材１３の長さは、凹状部材１１の長さに略等しく、すなわち、箱３の背面３５の幅の長さと略等しい。
また、鍵部１３３の長さは、基部１３１からの垂直方向の高さが凹状部材１１の深さa（図３参照）に略等しく、また、鍵部１３３の先端面が、基部１３１と水平になるようにする（すなわち、鍵部１３３の断面が平行四辺形になる）。凸状部材１３もスチール等の金属製であり、鍵部１３３は溶接等により成型される。
凸状部材１３の上部、下部には、それぞれ列状にボールド穴１３５が設けられ、ネジ等により凸状部材１３が壁１５の壁面１５１に取り付けられる。ボールド穴１３５の数は、図では、上下各９個ずつ開けられているが、この数はこれに限ることはなく、箱３の大きさ、すなわち、水槽を含む箱３の重量によって増減すればよい。
【００１４】
図２、図３に示すように、凸状部材１３をネジ等により壁面１５１に固定し、凸状部材１３の鍵部１３３を凹状部材１１の開口部１１３に差し込むことにより、箱３の重量は、壁に固定された凸状部材１３によって支持される。
【００１５】
凹状部材１１と凸状部材１３は、凹状部材１１の開口部１１３上部と凸状部材１３の鍵部１３３の上面の接線、凹状部材１１の凹部と凸状部材１３の鍵部１３３先端面の接面により、箱３を安定して壁面１５１に支持し、箱３の撓みを防止することができる。
【００１６】
図５は、本実施の形態の壁掛け水槽１のその他の部品の構成を示す図である。
壁掛け水槽１は、ろ過フィルター１５および水流ポンプ１６、エアポンプ１７およびエア出口１７１、蛍光灯１９および蛍光灯安定器１９１、ヒーター２１、水抜きバルブ２３等を備える。
【００１７】
ろ過フィルター１５は、水槽９の底部に設置され、水流ポンプ１６により水槽９内の水を吸い込み、ろ過し、ろ過した水を水流ポンプ１６から水槽９に戻す。エアポンプ１７は壁掛け水槽１の外部に装着され、接続されている水槽９内のエア出口１７１から空気を水槽９内に放出する。蛍光灯１９は、前面パネル５上部後面に取り付けられ、水槽９内を照らす。ヒーター２１は、水槽内９に設置され、必要に応じて水温を上げるのに用いる。水抜きバルブ２３は、ろ過フィルター１５に接続されており、バルブ２３を開けると、水圧により水槽９内の水を抜くことが可能である。
【００１８】
水流ポンプ１６、エアポンプ１７、蛍光灯１９、ヒーター２１には電源が必要である。
本実施の壁掛け水槽１を使用する場合には、壁面１５１に２口のコンセント２５を要する。一方の口にはエアポンプ１７が接続され、管３３を介してエア出口１７１から空気が放出される。
もう一方の口にはケーブル２９１が接続され、このケーブル２９１は、壁掛け水槽１に取り付けた分電器２７で３つに分岐される。そのうちの１つは、蛍光灯安定器１９１を介して蛍光灯１９に電力を供給する。残り２つの分岐は壁掛け水槽１に設置されたコンセント３１１、３１３に接続され、水流ポンプ１６に電力を供給するケーブル２９３、および、ヒーター２１のケーブル２９５を接続する。
【００１９】
尚、本考案は、前述した実施の形態に限定されるものではなく、種々の改変が可能であり、それらも、本考案の技術範囲に含まれる。
【図面の簡単な説明】
【００２０】
【図１】本考案の壁掛け水槽の概観を示す斜視図
【図２】本考案の壁掛け水槽を横から見た平面図
【図３】凹状部材の斜視図
【図４】凸状部材の斜視図
【図５】壁掛け水槽のその他の部品構成を示す図
【符号の説明】
【００２１】
１………壁掛け水槽
３………箱
５………前面パネル
７………蓋
９………水槽
１１………凹状部材
【図１】
0003109838.tif 000003
【図２】
0003109838.tif 000004
【図３】
0003109838.tif 000005
【図４】
0003109838.tif 000006
【図５】
0003109838.tif 000007